(57)【要約】【課題】回路の小型化を可能にすると共に、取り付ける作業を簡略化することができる回路保護ユニットを提供する。【解決手段】温度上昇によって溶断する温度ヒューズ２と、過渡的な電圧、電流を吸収するサージアブソーバ３と、温度ヒューズ２とサージアブソーバ３とを収納するケース１とを備え、温度ヒューズ２のリード線２Ａ、２Ｂ、およびサージアブソーバ３のリード線３Ａ、３Ｂがケース１の外側から出るように、温度ヒューズ２とサージアブソーバ３とが収納されている。これによって、温度ヒューズ２とサージアブソーバ３とをケース１内に収納して一体化したので、回路を小型化することができる。接続に必要なリード線２Ａ、２Ｂ、３Ａ、３Ｂがケース１の外側に出ているので、取り付け作業を簡略化することができる。【選択図】  図１
2004222389.tif 000002
【特許請求の範囲】
【請求項１】
温度上昇によって溶断する温度ヒューズと、
過渡的な電圧、電流を吸収するサージアブソーバと、
前記温度ヒューズと前記サージアブソーバとを収納するケースとを備え、
前記温度ヒューズおよび前記サージアブソーバのリード線が前記ケースの外側からそれぞれ出るように、前記温度ヒューズと前記サージアブソーバとが収納されていることを特徴とする回路保護ユニット。
【請求項２】
温度上昇によって溶断する温度ヒューズと、
過渡的な電圧、電流を吸収するサージアブソーバと、
前記温度ヒューズおよび前記サージアブソーバを収納するケースとを備え、
前記温度ヒューズおよび前記サージアブソーバのリード線が前記ケース内で電気的に接合されて、前記温度ヒューズと前記サージアブソーバとが前記ケース内で直列に接続され、前記温度ヒューズおよび前記サージアブソーバの未接続のリード線が前記ケースの外側からそれぞれ出るように、前記温度ヒューズと前記サージアブソーバとが収納されていることを特徴とする回路保護ユニット。
【請求項３】
温度上昇によって溶断する温度ヒューズと、
過渡的な電圧、電流を吸収するサージアブソーバと、
突入電流を阻止する抵抗器と、
前記温度ヒューズ、前記サージアブソーバ、および前記抵抗器を収納するケースとを備え、
前記温度ヒューズ、前記サージアブソーバ、および前記抵抗器のリード線が前記ケースの外側からそれぞれ出るように、前記温度ヒューズと前記サージアブソーバと前記抵抗器とが収納されていることを特徴とする回路保護ユニット。
【請求項４】
温度上昇によって溶断する温度ヒューズと、
過渡的な電圧、電流を吸収するサージアブソーバと、
突入電流を阻止する抵抗器と、
前記温度ヒューズ、前記サージアブソーバ、および前記抵抗器を収納するケースとを備え、
前記温度ヒューズ、前記サージアブソーバ、および前記抵抗器のリード線が前記ケース内で電気的に接合されて、前記温度ヒューズと前記サージアブソーバと前記抵抗器とが前記ケース内で直列に接続され、前記温度ヒューズ、前記サージアブソーバ、および前記抵抗器の中で未接続のリード線が前記ケースの外側からそれぞれ出るように、前記温度ヒューズと前記サージアブソーバと前記抵抗器とが収納されていることを特徴とする回路保護ユニット。
【請求項５】
前記ケースの代わりに、熱で収縮する収縮チューブを用いたことを特徴とする請求項１〜４のいずれか１項に記載の回路保護ユニット。
【発明の詳細な説明】
【０００１】
【発明の属する技術分野】
本発明は、熱による異常な温度上昇などから回路を保護する回路保護ユニットに関する。
【０００２】
【従来の技術】
電源回路や増幅回路などの出力段では、大きな電圧が回路に加わり、また大電流が回路に流れる。このために、回路の状態によっては、異常な熱による温度上昇が発生し、また、短時間に激しく電流が変化する場合がある。このような異常な温度上昇や過渡的な電流の対策として、温度ヒューズやサージアブソーバが回路に取り付けられている。
【０００３】
【発明が解決しようとする課題】
異常な温度上昇や過渡的な電流の対策としては、温度ヒューズやサージアブソーバを基板に取り付ける必要がある。この結果、それらの素子を取り付けるためのスペースが必要になり、回路規模が大きくなってしまう。また、各素子を取り付けるための作業工程が必要になる。
【０００４】
本発明は、前記の課題を解決し、回路の小型化を可能にすると共に、取り付ける作業を簡略化することができる回路保護ユニットを提供することを目的とする。
【０００５】
【課題を解決するための手段】
前記課題を解決するために、請求項１の発明は、温度上昇によって溶断する温度ヒューズと、過渡的な電圧、電流を吸収するサージアブソーバと、前記温度ヒューズと前記サージアブソーバとを収納するケースとを備え、前記温度ヒューズおよび前記サージアブソーバのリード線が前記ケースの外側からそれぞれ出るように、前記温度ヒューズと前記サージアブソーバとが収納されていることを特徴とする回路保護ユニットである。
請求項２の発明は、温度上昇によって溶断する温度ヒューズと、過渡的な電圧、電流を吸収するサージアブソーバと、前記温度ヒューズおよび前記サージアブソーバを収納するケースとを備え、前記温度ヒューズおよび前記サージアブソーバのリード線が前記ケース内で電気的に接合されて、前記温度ヒューズと前記サージアブソーバとが前記ケース内で直列に接続され、前記温度ヒューズおよび前記サージアブソーバの未接続のリード線が前記ケースの外側からそれぞれ出るように、前記温度ヒューズと前記サージアブソーバとが収納されていることを特徴とする回路保護ユニットである。
請求項３の発明は、温度上昇によって溶断する温度ヒューズと、過渡的な電圧、電流を吸収するサージアブソーバと、突入電流を阻止する抵抗器と、前記温度ヒューズ、前記サージアブソーバ、および前記抵抗器を収納するケースとを備え、前記温度ヒューズ、前記サージアブソーバ、および前記抵抗器のリード線が前記ケースの外側からそれぞれ出るように、前記温度ヒューズと前記サージアブソーバと前記抵抗器とが収納されていることを特徴とする回路保護ユニットである。
請求項４の発明は、温度上昇によって溶断する温度ヒューズと、過渡的な電圧、電流を吸収するサージアブソーバと、突入電流を阻止する抵抗器と、前記温度ヒューズ、前記サージアブソーバ、および前記抵抗器を収納するケースとを備え、前記温度ヒューズ、前記サージアブソーバ、および前記抵抗器のリード線が前記ケース内で電気的に接合されて、前記温度ヒューズと前記サージアブソーバと前記抵抗器とが前記ケース内で直列に接続され、前記温度ヒューズ、前記サージアブソーバ、および前記抵抗器の中で未接続のリード線が前記ケースの外側からそれぞれ出るように、前記温度ヒューズと前記サージアブソーバと前記抵抗器とが収納されていることを特徴とする回路保護ユニットである。
請求項５の発明は、請求項１〜４のいずれか１項に記載の回路保護ユニットにおいて、前記ケースの代わりに、熱で収縮する収縮チューブを用いたことを特徴とする。
【０００６】
【発明の実施の形態】
つぎに、本発明の実施の形態について、図面を参照して詳しく説明する。
【０００７】
［実施の形態１］
本実施の形態による回路保護ユニットを図１に示す。この回路保護ユニットは、ケース１、温度ヒューズ２、およびサージアブソーバ３を備えている。
【０００８】
ケース１は、図２に示すように、直方体形状の容器である。ケース１は温度ヒューズ２とサージアブソーバ３とを収納するためのものである。ケース１は本体１Ａと閉じ板１Ｂとで構成される。本体１Ａの一方の側面１Ａ１側が開放され、他方の側面１Ａ２側が閉じられている。側面１Ａ１は閉じ板１Ｂによって閉じられる。側面１Ａ２には、温度ヒューズ２のリード線２Ａとサージアブソーバ３のリード線３Ａとを通すための孔１Ａ３が開けられている。同じように、閉じ板１Ｂには、温度ヒューズ２のリード線２Ｂとサージアブソーバ３のリード線３Ｂとを通すための孔１Ｂ１が、本体１Ａの孔１Ａ３と向かい合うように開けられている。
【０００９】
温度ヒューズ２は、異常な熱による温度上昇を検出する。つまり、温度ヒューズ２は、基板に実装された回路部品等の過電流等による発熱で溶断し、回路を遮断して回路を保護する。温度ヒューズ２のリード線２Ａ、２Ｂはケース１の孔１Ａ３、１Ｂ１にそれぞれ通されて、温度ヒューズ２はケース１内に保持される。
【００１０】
サージアブソーバ３は、通常の電圧、電流に比べて、短時間に激しく変化する過渡的な電圧、電流を吸収して、基板に実装された回路部品を保護する。サージアブソーバ３のリード線３Ａ、３Ｂはケース１の孔１Ａ３、１Ｂ１にそれぞれ通されて、サージアブソーバ３はケース１内に保持される。
【００１１】
本実施の形態による回路保護ユニットは前記の構成である。前記構成の回路保護ユニットは、次のようにして組み立てられる。ケース１の本体１Ａの孔１Ａ３に、温度ヒューズ２のリード線２Ａとサージアブソーバ３のリード線３Ａとをそれぞれ通す。この後、温度ヒューズ２とサージアブソーバ３とを固定するために、本体１Ａの内部にセメント４を注入する。そして、温度ヒューズ２のリード線２Ｂとサージアブソーバ３のリード線３Ｂとを閉じ板１Ｂの孔１Ｂ１にそれぞれ通し、ケース１の側面１Ａ１を閉じ板１Ｂで塞ぐ。こうして、回路保護ユニットが組み立てられる。
【００１２】
この回路保護ユニットによれば、温度ヒューズ２とサージアブソーバ３とがケース１に収納されて、一体化されているので、温度ヒューズ２とサージアブソーバ３とを個別にしたときに比べて、回路を小型化することができる。また、温度ヒューズ２のリード線２Ａ、２Ｂとサージアブソーバ３のリード線３Ａ、３Ｂとがケース１の外側に出ているので、温度ヒューズ２とサージアブソーバ３とを個別に基板に取り付ける場合に比べて、取り付け作業を簡略化することができる。さらに、本実施の形態によれば、温度ヒューズ２とサージアブソーバ３とをセメント４でケース１内に封止しているので、例えば温度ヒューズ２やサージアブソーバ３が破壊したときに、破片の散乱を防ぐことができる。
【００１３】
［実施の形態２］
本実施の形態による回路保護ユニットを図３に示す。なお、本実施の形態では、先に説明した図１の回路保護ユニットと同一または同一と見なされる構成要素には、それと同じ参照符号を付けて、その説明を省略する。
【００１４】
本実施の形態では、温度ヒューズ２のリード線２Ｂとサージアブソーバ３のリード線３Ｂとが、ケース１内で電気的に接合されている。つまり、温度ヒューズ２とサージアブソーバ３とは、接合部５によって直列に接続されている。接合には半田付けや溶接が用いられる。温度ヒューズ２のリード線２Ａとサージアブソーバ３のリード線３Ａとが未接続のリード線であり、これらはケース１の外側に出されている。さらに、本実施の形態では、温度ヒューズ２およびサージアブソーバ３のリード線２Ｂ、３Ｂを通すために実施の形態１で閉じ板１Ｂに開けられていた、２つの孔１Ｂ１が塞がれている。
【００１５】
本実施の形態による回路保護ユニットは、実施の形態１と同じように、回路を小型化することができ、取り付け作業を簡略化することができる。また、温度ヒューズ２やサージアブソーバ３が破壊したときに、破片の散乱を防ぐことができる。
【００１６】
［実施の形態３］
本実施の形態による回路保護ユニットを図４に示す。この回路保護ユニットは、ケース１１、抵抗器１２、温度ヒューズ１３、およびサージアブソーバ１４を備えている。温度ヒューズ１３およびサージアブソーバ１４は、実施の形態１の温度ヒューズ２およびサージアブソーバ３とそれぞれ同じであるので、これらの説明を省略する。
【００１７】
ケース１１は、直方体形状の容器である。ケース１１は抵抗器１２、温度ヒューズ１３、およびサージアブソーバ１４を収納するためのものであり、実施の形態１のケース１と大きさが異なるだけであり、構造はケース１と同じである。つまり、ケース１１は本体１１Ａと閉じ板１１Ｂとで構成される。本体１１Ａの側面には、３つの孔１１Ａ１が開けられている。また、閉じ板１１Ｂには、孔１１Ａ１とそれぞれ向かい合う位置に３つの孔１１Ｂ１が開けられている。これらの孔１１Ａ１、１１Ｂ１は、抵抗器１２のリード線１２Ａ、１２Ｂ、温度ヒューズ１３のリード線１３Ａ、１３Ｂ、サージアブソーバ１４のリード線１４Ａ、１４Ｂをそれぞれ通すためのものである。
【００１８】
抵抗器１２は突入電流を防止する。突入電流は、電源投入時に回路に流れ、かつ、通常の電流より大きな電流である。抵抗器１２のリード線１２Ａ、１２Ｂはケース１の孔１１Ａ１、１１Ｂ１にそれぞれ通されて、抵抗器１２はケース１１内に保持される。
【００１９】
本実施の形態による回路保護ユニットは、実施の形態１と同じように、回路を小型化することができ、取り付け作業を簡略化することができる。また、回路保護ユニットは、ケース１１内に抵抗器１２を備えるので、突入電流を防ぐことができる。
【００２０】
［実施の形態４］
本実施の形態による回路保護ユニットを図５に示す。なお、本実施の形態では、先に説明した図４の回路保護ユニットと同一または同一と見なされる構成要素には、それと同じ参照符号を付けて、その説明を省略する。
【００２１】
本実施の形態では、抵抗器１２のリード線１２Ｂと温度ヒューズ１３のリード線１３Ｂとが、ケース１１内で電気的に接合されている。接合には半田付けや溶接が用いられる。ケース１１内では、さらに、温度ヒューズ１３のリード線１３Ａとサージアブソーバ１４のリード線１４Ａとが電気的に接合されている。つまり、抵抗器１２と温度ヒューズ１３とサージアブソーバ１４とは、接合部１５Ａ、１５Ｂによって直列に接続されている。
【００２２】
本実施の形態では、抵抗器１２のリード線１２Ａとサージアブソーバ１４のリード線１４Ｂとが未接続のリード線であり、これらはケース１１の外側に出されている。そして、本実施の形態では、抵抗器１２、温度ヒューズ１３、およびサージアブソーバ１４のリード線１２Ｂ、１３Ａ、１３Ｂ、１４Ａを通すために、実施の形態３で本体１１Ａに開けられていた、４つの孔１１Ａ１、１１Ｂ１がそれぞれ塞がれている。
【００２３】
本実施の形態による回路保護ユニットは、実施の形態３と同じように、回路を小型化することができ、取り付け作業を簡略化することができる。また、突入電流を防ぐことができる。
【００２４】
［実施の形態５］
本実施の形態による回路保護ユニットを図６に示す。なお、本実施の形態では、先に説明した図４の回路保護ユニットと同一または同一と見なされる構成要素には、それと同じ参照符号を付けて、その説明を省略する。
【００２５】
本実施の形態では、温度ヒューズ１３のリード線１３Ａとサージアブソーバ１４のリード線１４Ａとが、ケース１１内で電気的に接合されている。つまり、温度ヒューズ１３とサージアブソーバ１４とは、接合部１６によって直列に接続されている。接合には半田付けや溶接が用いられる。温度ヒューズ１３のリード線１３Ｂとサージアブソーバ１４のリード線１４Ｂとが未接続のリード線であり、これらはケース１１の外側に出されている。さらに、本実施の形態では、温度ヒューズ１３およびサージアブソーバ１４のリード線１３Ａ、１４Ａを通すために、実施の形態３で本体１１Ａに開けられていた、２つの孔１１Ａ１がそれぞれ塞がれている。
【００２６】
本実施の形態による回路保護ユニットは、実施の形態３と同じように、回路を小型化することができ、取り付け作業を簡略化することができる。また、突入電流を防ぐことができる。
【００２７】
［実施の形態６］
本実施の形態による回路保護ユニットを図７に示す。なお、本実施の形態では、先に説明した図３の回路保護ユニットと同一または同一と見なされる構成要素には、それと同じ参照符号を付けて、その説明を省略する。
【００２８】
本実施の形態では、図３のケース１の代わりに収縮チューブ６を用いる。収縮チューブ６は加熱によって収縮するチューブである。このような収縮チューブ６は、リード線２Ｂ、３Ｂと接合部５とを覆うように、かつ、リード線２Ａ、３Ａが出るように、温度ヒューズ２およびサージアブソーバ３に被せられる。この後、加熱によって、収縮チューブ６が収縮し、温度ヒューズ２とサージアブソーバ３とが固定される。
【００２９】
本実施の形態によれば、実施の形態１と同じように、回路を小型化することができ、取り付け作業を簡略化することができる。
【００３０】
以上、本発明の実施の形態を詳述してきたが、具体的な構成は各実施の形態に限られるものではなく、本発明の要旨を逸脱しない範囲の設計の変更等があっても、本発明に含まれる。たとえば、実施の形態５では、温度ヒューズ１３とサージアブソーバ１４とを直列に接続したが、直列に接続するのはこれに限定されない。つまり、抵抗器１２、温度ヒューズ１３、およびサージアブソーバ１４の中の任意に２つであればよい。
【００３１】
また、実施の形態６では、実施の形態２による温度ヒューズ２とサージアブソーバ３の直列回路を収縮チューブ６で覆ったが、実施の形態４による抵抗器１２、温度ヒューズ１３、およびサージアブソーバ１４の直列回路を収縮チューブ６で覆ってもよい。また、残りの実施の形態についても、ケースの代わりに収縮チューブ６を用いることが可能である。
【００３２】
【発明の効果】
以上、説明したように、本発明によれば、温度ヒューズとサージアブソーバとをケース内に収納して一体化したので、回路を小型化することができる。接続に必要なリード線がケースの外側に出ているので、取り付け作業を簡略化することができる。さらに、１つのユニットで、異常な温度上昇と、過渡的な電流とから回路を保護することができる。
【００３３】
また、本発明によれば、温度ヒューズとサージアブソーバと抵抗器とをケース内に収納して一体化したので、回路を小型化することができる。接続に必要なリード線がケースの外側に出ているので、取り付け作業を簡略化することができる。さらに、１つのユニットで、異常な温度上昇と、過渡的な電流と、突入電流とから回路を保護することができる。
【図面の簡単な説明】
【図１】本発明の実施の形態１を示す断面図である。
【図２】図１のケースを示す分解斜視図である。
【図３】本発明の実施の形態２を示す断面図である。
【図４】本発明の実施の形態３を示す断面図である。
【図５】本発明の実施の形態４を示す断面図である。
【図６】本発明の実施の形態５を示す断面図である。
【図７】本発明の実施の形態６を示す断面図である。
【符号の説明】
１  ケース
１Ａ  本体
１Ａ１、１Ａ２  側面
１Ａ３  孔
１Ｂ  閉じ板
１Ｂ１  孔
２  温度ヒューズ
２Ａ、２Ｂ  リード線
３  サージアブソーバ
３Ａ、３Ｂ  リード線
４  セメント
５  接合部
６  収縮チューブ
１１  ケース
１１Ａ  本体
１１Ａ１  孔
１１Ｂ  閉じ板
１１Ｂ１  孔
１２  抵抗器  リード線
１２Ａ、１２Ｂ
１３  温度ヒューズ
１３Ａ、１３Ｂ  リード線
１４  サージアブソーバ
１４Ａ、１４Ｂ  リード線
１５Ａ、１５Ｂ、１６  接合部
【図１】
2004222389.tif 000003
【図２】
2004222389.tif 000004
【図３】
2004222389.tif 000005
【図４】
2004222389.tif 000006
【図５】
2004222389.tif 000007
【図６】
2004222389.tif 000008
【図７】
2004222389.tif 000009